(57)【要約】【課題】  マイナスイオンを含んだ芳香精油を発生可能で、芳香精油の利用効率及び機能を高めさせる芳香器を提供する。【解決手段】  本体１に揮発溝１０を設ける。揮発溝１０は芳香精油瓶２の口部２０を設けるために設置され、芳香精油瓶２の芯部２１を揮発溝１０の中に置く。芯部２１によって芳香精油を揮発させることが可能である。又本体に複数の孔１１、孔１２を設けて、孔１１はマイナスイオン発生器３のマイナスイオン発射ユニット３０のためであり、もう一つの孔１２は霧化したマイナスイオン芳香精油を、取り付けられた場所へ送り出すためにある。マイナスイオン発射ユニット３０を揮発溝１０の中に設け込むように伸ばすことが可能で、マイナスイオン発射ユニット３０から発生したマイナスイオンは揮発溝１０の中において芳香精油と混合して霧化したら環境の中へ送り出され、マイナスイオンを含んだ芳香精油が発生可能である。【選択図】    図１
2006334145.tif 000002
【特許請求の範囲】
【請求項１】
マイナスイオン芳香器であって、本体、マイナスイオン発生器が含まれ、
本体には揮発溝が設けられ、揮発溝は芳香精油瓶を設けるために設置され、それによって芳香精油を揮発溝で揮発させることが可能であり、本体に複数の孔を設け、その中の一つの孔はマイナスイオン発生器のマイナスイオン発射ユニットを設けるために設置され、またもう一つの孔は霧化されたマイナスイオン芳香精油を送り出すことが可能であり、
マイナスイオン発生器は、マイナスイオン発生器にマイナスイオン発射ユニットが設けられ、マイナスイオン発射ユニットは前記本体の孔の一つに設けることが可能であり、且つマイナスイオン発射ユニットを揮発溝の中に設け込むように伸ばすことも可能であることを特徴とするマイナスイオン芳香器。
【請求項２】
芳香精油瓶の芯部が揮発溝の中に設けられ、且つ芯部によって芳香精油瓶内にある芳香精油を揮発溝の中で揮発させることを特徴とする請求項１記載のマイナスイオン芳香器。
【請求項３】
マイナスイオン芳香器であって、本体、マイナスイオン発生器、カバーが含まれ、
本体には揮発溝が設けられ、揮発溝は芳香精油瓶を設けるために設置され、芳香精油を揮発溝で揮発させることが可能であり、本体には複数の孔を設け、その中の一つの孔はマイナスイオン発生器のマイナスイオン発射ユニットを設けるために設置され、またもう一つの孔は霧化されたマイナスイオン芳香精油を送り出すことが可能であり、
マイナスイオン発生器には、マイナスイオン発射ユニットが設けられ、マイナスイオン発射ユニットは前記本体の孔の一つに設置可能であり、且つマイナスイオン発射ユニットを揮発溝の中に設け込むように伸ばすことも可能であり、
カバーは本体、精油瓶及びマイナスイオン発生器を設けるために設置され、またカバーにはプラグが設けられていることを特徴とするマイナスイオン芳香器。
【発明の詳細な説明】
【技術分野】
【０００１】
本発明は、マイナスイオン芳香器に関する。特にマイナスイオン芳香器の本体に揮発溝を設け、マイナスイオン発生器のマイナスイオン発射ユニットを本体の揮発溝の中に設け込み、マイナスイオン発射ユニットの発生したマイナスイオンを揮発溝の中で芳香精油と混合させてから環境の中に送り出すと、マイナスイオンを含んだ芳香精油が発生可能で、芳香精油の利用効率及び機能が高められるものを指す。
【背景技術】
【０００２】
目下の芳香精油または芳香剤の揮発装置は、即ち特許文献１の芳香剤或いは殺虫剤に使われる液体物質の多機能電気壁式蒸発器（請求者：S.C.JOHNSON  &  SON,INC.）のような、第一種の従来知られたものは一種の壁掛け式電気蒸発器であり、蒸発器に容器が設けられ、容器は芯のある瓶を入れることが可能で、それによって液体物質を納め、また電気加熱装置が設けてあり、該電気加熱装置によって前述した芯を加熱させることが可能であるため、瓶内の液体物質を揮発させることが可能となる。
【０００３】
また、特許文献２の自動車用殺菌・芳香装置のような、第二種の従来知られたものは一種の、車の中に設ける自動車用殺菌・芳香装置であり、装置には、一つの、自動車の電源に挿入して設けるコンセントが設けられ、装置は電子基板に設置されるマイナスイオン発生器によって殺菌効果が発生されるのである。また、電子基板に加熱器を設けて、加熱器が二番目の収納空間の中に設けられ、加熱器によって二番目の収納空間にある芳香剤に対して加熱・蒸発との働きを発生させる。
【０００４】
特許文献３の旋風式水気マイナスイオン芳香器のように、第三種の従来知られた旋風式水気マイナスイオン芳香器は、モーターによって一つのコースターを連れて回るようにし、且コースターにおいて間隔を置いて並んだ弧形の羽根を設けて一つの気流発生器に構成させると、上述の気流発生器によって高速な気流を発生させたら容器の中にある液体に対してマイナスイオンを引き起こさせるような効果がある。
【０００５】
また、特許文献４の超音波薬物、芳香剤或いは精油の霧化器の構造改良のような、第四種の従来知られた超音波薬物、芳香剤或いは精油の霧化器とは、容器の底部に一つの超音波振り子を設けて、超音波振り子によって容器内の薬物、芳香剤或いは精油に対して霧化効果をもたらすものである。
【０００６】
【特許文献１】台湾特許公告第５６８７４７号（欧州特許連盟８１請求第０１８３０５２８．４号）
【特許文献２】台湾特許第２４０２２３号
【特許文献３】台湾特許公告第５６４７５１号
【特許文献４】台湾特許公告第５４７０８７号
【発明の開示】
【発明が解決しようとする課題】
【０００７】
上述の四種類の従来知られた装置には、あるものは電熱によった加熱の方式を利用して容器内の芳香剤或いはオイルを揮発させる効果を発生するのである。あるものは気流発生器の羽根によって精油に対して引揚・霧化の効果を発生させるのである。または超音波振り子の振動霧化の働きによって精油に対して霧化の目的を行うものである。しかしそれらから、マイナスイオンを利用して精油に対して直接に揮発効果をもたらすもの、及び、マイナスイオンの機能を持つ芳香精油装置を認めなかったのである。
【０００８】
そこで、本発明者は長年に渡って新製品への設計と製造の経験を積み重ねて前記の従来知られた構造の欠点に対して研究を加えた結果、やっと本発明を考え出したのである。
【０００９】
したがって本発明の目的は、マイナスイオン発生器のマイナスイオン発射ユニットを直接に本体の揮発溝に設けて、且マイナスイオン発射ユニットから発生したマイナスイオンを揮発溝で芳香精油と混合させて霧化させてから環境の中へ送り出すことで、マイナスイオンを含んだ芳香精油を発生可能で、芳香精油の利用効率及び機能を高めさせるものを提供することにある。
【課題を解決するための手段】
【００１０】
上述の目的を達成するために本発明の請求項に記載のマイナスイオン芳香器は、本体に揮発溝を設けて、揮発溝は芳香精油瓶の口部を設けるために設置され、または芳香精油瓶を置くために設置される。
【００１１】
一つのマイナスイオン発生器のマイナスイオン発射ユニットを利用して、それを本体の揮発溝に設けることが可能である。また、マイナスイオン発射ユニットから発生したマイナスイオンを揮発溝の中で芳香精油と混合させて霧化させてから環境の中へ送り出すと、マイナスイオンを含んだ芳香精油が発生可能となる。
【発明を実施するための最良の形態】
【００１２】
以下、本発明の実施例を図面に基づいて説明する。
図１及び図２は本発明のマイナスイオン芳香器の簡易型の実施例（一）であり、本実施例（一）のマイナスイオン芳香器には次のような要素が含まれている。
【００１３】
本体１に揮発溝１０を設けて、揮発溝１０は芳香精油瓶２の口部２０を設けるために設置され（図２に示すように）、芳香精油瓶２の芯部２１を揮発溝１０の中に置くことが可能である。且芯部２１によって芳香精油瓶２内にある芳香精油を揮発溝１０の中において揮発させることが可能である。又本体に複数の孔１１、孔１２を設けて、その中の一つの孔１１はマイナスイオン発生器３のマイナスイオン発射ユニット３０のために設けられ、またもう一つの孔１２は霧化したマイナスイオン芳香精油を、取り付けられた場所へ送り出すことが可能である。
【００１４】
マイナスイオン発生器３にはまたマイナスイオン発射ユニット３０が設けられ、マイナスイオン発射ユニット３０は前述した本体１の一つの孔１１に固着して設けることが可能である。マイナスイオン発射ユニット３０を揮発溝１０の中に設け込むように伸ばすことが可能である。そうすると、マイナスイオン発射ユニット３０から発生したマイナスイオンは揮発溝１０の中において芳香精油と混合して霧化したら環境の中へ送り出されるとマイナスイオンを含んだ芳香精油が発生可能で、芳香精油の利用効率及び機能が高められる。
【００１５】
図３に示すように、本発明のマイナスイオン芳香器のプラグ型の実施例（二）であり、本実施例（二）のマイナスイオン芳香器には次のような要素が含まれている。
【００１６】
本体１に揮発溝１０が設けられ、揮発溝１０は芳香精油瓶２の口部２０のために設けられ、芳香精油瓶２の芯部２１を揮発溝１０内に置くことが可能である。芯部２１によって芳香精油瓶２内にある芳香精油を前述した揮発溝１０の中において揮発させることが可能である。又本体に複数の孔１１、孔１２を設けて、一つの孔１１はマイナスイオン発生器３のマイナスイオン発射ユニット３０のために設置され、且もう一つの孔１２により霧化されたマイナスイオン芳香精油を取り付けられた場所へ送り出すことが可能である。
【００１７】
マイナスイオン発生器３には、マイナスイオン発射ユニット３０が設けてあり、マイナスイオン発射ユニット３０を本体１の一つの孔１１に設けることが可能であり、マイナスイオン発射ユニット３０を揮発溝１０の中に伸ばし設け込むようにすることで、マイナスイオン発射ユニット３０から発生したマイナスイオンを利用して揮発溝１０の中において芳香精油と混合させて霧化させてから環境の中へ送り出す。
【００１８】
カバー４は本体１、精油瓶２及びマイナスイオン発生器３を設けるために設置され、カバー４に設けたプラグ４０によって直接に室内のソケットに挿入すると、マイナスイオンを含んだ芳香精油が発生可能となり、芳香精油の利用効率及び機能が高められる。
【００１９】
図４に示すように、本発明のマイナスイオン芳香器の壁掛け型の実施例（三）であり、本実施例（三）のマイナスイオン芳香器には次のような要素が含まれている。
【００２０】
本体１に揮発溝１０が設けられ、揮発溝１０は芳香精油瓶２の口部２０のために設けられる。それによって芳香精油瓶２の芯部２１を前述した揮発溝１０内に置くことが可能である。芯部２１によって芳香精油瓶２内にある芳香精油を揮発溝１０の中において揮発させることが可能である。又本体に複数の孔１１、孔１２を設けて、その中の一つの孔１１はマイナスイオン発生器３のマイナスイオン発射ユニット３０のために設置され、且もう一つの孔１２は霧化されたマイナスイオン芳香精油を取り付けられた場所へ送り出すことが可能である。
【００２１】
マイナスイオン発生器３にまたマイナスイオン発射ユニット３０が設けられ、マイナスイオン発射ユニット３０を本体１の一つの孔１１に固着して設けることが可能であり、且マイナスイオン発射ユニット３０を揮発溝１０の中に設け込むように伸ばせる。そうすると、マイナスイオン発射ユニット３０から発生したマイナスイオンを利用して揮発溝１０の中において芳香精油と混合させて霧化させてから環境の中へ送り出すことが可能となる。
【００２２】
カバー４は本体１、精油瓶２及びマイナスイオン発生器３を設けるために設置され、カバー４に設けたプラグ４０によって直接に室内のソケットに挿入してから一つの壁掛け孔４１を利用して室内に掛けておくと、マイナスイオンを含んだ芳香精油が発生可能で、芳香精油の利用効率及び機能が高められる。それは本発明の構成である。
【図面の簡単な説明】
【００２３】
【図１】本発明の実施例（一）によるマイナスイオン芳香器を示す分解図である。
【図２】本発明の実施例（一）によるマイナスイオン芳香器を示す組立図である。
【図３】本発明の実施例（二）によるマイナスイオン芳香器の部分断面図である。
【図４】本発明の実施例（三）によるマイナスイオン芳香器の部分断面図である。
【符号の説明】
【００２４】
１  本体、２  芳香精油瓶、３  マイナスイオン発生器、４  カバー、１０  揮発溝、１１  孔、１２  孔、２０  口部、２１  芯部、３０  マイナスイオン発射ユニット、４０  プラグ、４１  壁掛け孔
【図１】
2006334145.tif 000003
【図２】
2006334145.tif 000004
【図３】
2006334145.tif 000005
【図４】
2006334145.tif 000006